(57)【要約】【課題】効果的に収差を補正し、主光線の角度を小さくし、撮像レンズの長さを効果的に縮小できる撮像レンズを提供する。【解決手段】同一の光軸に沿って物体側から順に、メニスカス形状の非球面レンズであり、その凸面１１が物体側にある正の屈折力の第１のレンズＬ１と、メニスカス形状の非球面レンズであり、その凸面２１が像側にある負の屈折力の第２のレンズＬ２と、Ｍ字形状の非球面レンズで、その物体側面および像側面がいずれもＭ字形状であり、光軸上の中央面が凸面または凹面である負の屈折率の第３のレンズＬ３と、赤外線フィルタ４と、イメージセンサ５とを備え、下記の条件式を満足する。０．４≦ｄ＜０．９ｆ、０．３＜｜Ｒ１／Ｒ２｜＜０．６、２．８≦Ｆｎｏ＜３．６、０．２＜ｂｒ／ｆ＜０．４、０．５＜ｆ１／ｆ＜１、−６．０＜ｆ３／ｆ＜−２．０【選択図】図１
0003137570.tif 000002
【実用新案登録請求の範囲】
【請求項１】
同一の光軸Ｘに沿って物体側から順に、
メニスカス形状の非球面レンズであり、その凸面が物体側にある正の屈折力の第１のレンズと、
メニスカス形状の非球面レンズであり、その凸面が像側にある負の屈折力の第２のレンズと、
Ｍ字形状の非球面レンズであり、その物体側面および像側面のいずれもＭ字形状であり、光軸上の中央面が凸面または凹面である負の屈折力の第３のレンズと、
赤外線フィルタと、
イメージセンサと、を備え、
下記条件式（１）から（６）を満足することを特徴とする三枚のレンズから構成される撮像レンズ。
０．４≦ｄ＜０．９ｆ・・・（１）
０．３＜｜Ｒ１／Ｒ２｜＜０．６・・・（２）
２．８≦Ｆｎｏ＜３．６・・・（３）
０．２＜ｂｒ／ｆ＜０．４・・・（４）
０．５＜ｆ１／ｆ＜１・・・（５）
−６．０＜ｆ３／ｆ＜−２．０・・・（６）
但し、ｆ：撮像レンズシステムの有効焦点距離
ｄ：第１のレンズの物体側面から第３のレンズの像側面までの距離
Ｒ１：第１のレンズの物体側面の曲率半径
Ｒ２：第１のレンズの像側面の曲率半径
Ｆｎｏ：撮像レンズシステムのＦナンバー
ｂｒ：撮像レンズシステムの後側焦点距離
ｆ１：第１のレンズの有効焦点距離
ｆ３：第３のレンズの有効焦点距離
【請求項２】
前記メニスカス形状の第１のレンズの凸面および凹面の少なくとも一面は非球面であることを特徴とする請求項１記載の三枚のレンズから構成される撮像レンズ。
【請求項３】
前記メニスカス形状の第２のレンズの凸面および凹面の少なくとも一面は非球面であることを特徴とする請求項１記載の三枚のレンズから構成される撮像レンズ。
【請求項４】
前記Ｍ字形状の第３のレンズの物体側面および像側面の少なくとも一面は非球面であることを特徴とする請求項１記載の三枚のレンズから構成される撮像レンズ。
【請求項５】
前記撮像レンズには前置絞りが設けられ、その開口絞りが第１のレンズの物体側凸面上または前に設置されることを特徴とする請求項１記載の三枚のレンズから構成される撮像レンズ。
【請求項６】
前記撮像レンズには中間絞りが設けられ、その開口絞りが第１のレンズの像側面上、第２のレンズの物体側面上または第１のレンズの像側面と第２のレンズの物体側面との間に設置されることを特徴とする請求項１記載の三枚のレンズから構成される撮像レンズ。
【請求項７】
前記第１のレンズ、第２のレンズおよび第３のレンズはそれぞれプラスチック材料から製造され、前記赤外線フィルタはガラス材料から製造されることを特徴とする請求項１記載の三枚のレンズから構成される撮像レンズ。
【請求項８】
前記第１のレンズはモールドガラスから製造され、前記第２のレンズおよび第３のレンズはプラスチック材料から製造され、前記赤外線フィルタはガラス材料から製造されることを特徴とする請求項１記載の三枚のレンズから構成される撮像レンズ。
【考案の詳細な説明】
【技術分野】
【０００１】
三枚のレンズから構成される撮像レンズに関し、主に携帯電話のカメラレンズまたはＣＣＤ（電荷結合素子）やＣＭＯＳ（相補性金属酸化膜半導体）などのイメージセンサのレンズとして使用され、三枚のレンズから構成されて、高性能で全長が短く、コストを低減できる撮像レンズに関する。
【背景技術】
【０００２】
従来技術によるガラスを球面研磨して製造されたレンズは材料の選択性が高く、色差の修正に有利であるので業界内で広く使用されている。しかし、ガラスを球面研磨したレンズをＦナンバーが小さく、視野角が大きな状況で応用する場合、球面収差および非点収差などの収差の修正は困難である。ガラスを球面研磨したレンズの欠点を解決するために現在の撮像装置においては非球面プラスチックレンズまたは非球面モールドガラスレンズが使用され、優れたイメージ品質を達成している。特許文献１から特許文献２０などは三枚のレンズ構成要素／レンズ要素から構成された設計となっている。これらの構造は基本的に物体側から順に第１、第２および第３のレンズ構成要素／レンズ要素が設けられ、その差異または技術的な特徴は下記の要素によって決定される。
【０００３】
１．第１、第２および第３のレンズ構成要素／レンズ要素が全てメニスカス形状のレンズである構造、或いは第１および第２のレンズ構成要素／レンズ要素がメニスカス形状のレンズであり、第３のレンズ構成要素／レンズ要素が平凹形状または平凸形状である構造などの三枚のレンズ構成要素／レンズ要素間の形状の差異。
２．第１、第２および第３のレンズ構成要素／レンズ要素の凸面／凹面を物体側／像側に設置するなどの三枚のレンズ構成要素／レンズ要素間の凸面／凹面の方向の差異。
３．第１、第２および第３のレンズ構成要素／レンズ要素の屈折力を正、負、正または正、正、負の順番で組み合わせるなどの三枚のレンズ構成要素／レンズ要素間の屈折率の正／負の差異。
４．ｆ、ｄ、Ｒ１、Ｒ２、Ｆｎｏ、ｂｒ、ｆ１、ｆ３が０．８＜ｆ１＜２．０、０．５＜（｜Ｒ２｜−Ｒ１）／（Ｒ１＋｜Ｒ２｜）、および１．５＜ｆ３／ｆ＜３．０と言った条件を満たすなどの三枚のレンズ構成要素／レンズ要素間の光学的データの差異または満足する条件の差異（特許文献１０を参照）。
【０００４】
上述の撮像レンズの全長は非常に長く、体積を小さくしたり、コストを低減させたりできず、収差の補正または主光線の角度を小さくするのも理想的でなく、電子製品が求める軽薄短小や高性能化を満足させることはできず、相対的に撮像レンズの応用性を制限しており、特に携帯電話への応用が難しい。
【特許文献１】米国特許６，７９５，２５３
【特許文献２】米国特許６，９６１，１９１
【特許文献３】米国特許６，４４１，９７１
【特許文献４】米国特開２００４／００６１９５３Ａ１
【特許文献５】米国特開２００４／０１９０１５８Ａ１
【特許文献６】米国特開２００４／０１９０１６２Ａ１
【特許文献７】米国特開２００４／０２３１８２３Ａ１
【特許文献８】米国特開２００５／０２３１８２２Ａ１
【特許文献９】特許第３５６７３２７号
【特許文献１０】特許第３７１７４８８号
【特許文献１２】特許第３７６８５０９号
【特許文献１２】特許第３８１６０９５号
【特許文献１３】特開２００５‐８４４０４
【特許文献１４】特開２００６‐４７８５８
【特許文献１５】特開２００５‐３０９２１０
【特許文献１６】特開２００５‐２２７７５５
【特許文献１７】特開２００５‐３４５９１９
【特許文献１８】特開２００５‐２９２２３５
【特許文献１９】特開２００４‐００４５６６
【特許文献２０】特開２００５‐３３８２３４
【考案の開示】
【考案が解決しようとする課題】
【０００５】
本考案の目的は、同一の光軸に沿って物体側から順に、メニスカス形状の非球面レンズであり、その凸面が物体側にある正の屈折力の第１のレンズと、メニスカス形状の非球面レンズであり、その凸面が像側にある負の屈折力の第２のレンズと、Ｍ字形状の非球面レンズで、その物体側面および像側面がいずれもＭ字形状であり、光軸上の中央面が凸面または凹面である負の屈折力の第３のレンズと、赤外線フィルタと、イメージセンサとを備え、下記の条件式（１）から（６）を満足し、
０．４≦ｄ＜０．９ｆ・・・（１）
０．３＜｜Ｒ１／Ｒ２｜＜０．６・・・（２）
２．８≦Ｆｎｏ＜３．６・・・（３）
０．２＜ｂｒ／ｆ＜０．４・・・（４）
０．５＜ｆ１／ｆ＜１・・・（５）
−６．０＜ｆ３／ｆ＜−２．０・・・（６）
但し、ｆ：撮像レンズシステムの有効焦点距離
ｄ：第１のレンズの物体側面から第３のレンズの像側面までの距離
Ｒ１：第１のレンズの物体側面の曲率半径
Ｒ２：第１のレンズの像側面の曲率半径
Ｆｎｏ：撮像レンズシステムのＦナンバー
ｂｒ：撮像レンズシステムの後側焦点距離
ｆ１：第１のレンズの有効焦点距離
ｆ３：第３のレンズの有効焦点距離
上述の構成により効果的に収差を補正し、主光線の角度を小さくでき、高解析度を達成し、撮像レンズの長さを効果的に縮小して応用性を向上することができる三枚のレンズから構成される撮像レンズを提供することにある。
本考案の第２の目的は、撮像レンズに前置絞りを設置することができ、その開口絞りを第１のレンズの物体側凸面上または前に設置するか、または中間絞りを設け、その開口絞りを第１のレンズの像側面上、第２のレンズの物体側面上または第１のレンズの像側面と第２のレンズの物体側面との間に設置することによって、撮像レンズの全長を効果的に縮小して撮像レンズの応用性を高めることができる三枚のレンズから構成される撮像レンズを提供することにある。
【課題を解決するための手段】
【０００６】
上記課題を解決するために、請求項１の考案は、同一の光軸Ｘに沿って物体側から順に、メニスカス形状の非球面レンズであり、その凸面が物体側にある正の屈折力の第１のレンズと、メニスカス形状の非球面レンズであり、その凸面が像側にある負の屈折力の第２のレンズと、Ｍ字形状の非球面レンズであり、その物体側面および像側面のいずれもＭ字形状であり、光軸上の中央面が凸面または凹面である負の屈折力の第３のレンズと、赤外線フィルタと、イメージセンサと、を備え、下記条件式（１）から（６）を満足することを特徴とする三枚のレンズから構成される撮像レンズである。
０．４≦ｄ＜０．９ｆ・・・（１）
０．３＜｜Ｒ１／Ｒ２｜＜０．６・・・（２）
２．８≦Ｆｎｏ＜３．６・・・（３）
０．２＜ｂｒ／ｆ＜０．４・・・（４）
０．５＜ｆ１／ｆ＜１・・・（５）
−６．０＜ｆ３／ｆ＜−２．０・・・（６）
但し、ｆ：撮像レンズシステムの有効焦点距離
ｄ：第１のレンズの物体側面から第３のレンズの像側面までの距離
Ｒ１：第１のレンズの物体側面の曲率半径
Ｒ２：第１のレンズの像側面の曲率半径
Ｆｎｏ：撮像レンズシステムのＦナンバー
ｂｒ：撮像レンズシステムの後側焦点距離
ｆ１：第１のレンズの有効焦点距離
ｆ３：第３のレンズの有効焦点距離
【０００７】
請求項２の考案は、メニスカス形状の第１のレンズの凸面および凹面の少なくとも一面は非球面であることを特徴とする請求項１記載の三枚のレンズから構成される撮像レンズである。
【０００８】
請求項３の考案は、メニスカス形状の第２のレンズの凸面および凹面の少なくとも一面は非球面であることを特徴とする請求項１記載の三枚のレンズから構成される撮像レンズである。
【０００９】
請求項４の考案は、Ｍ字形状の第３のレンズの物体側面および像側面の少なくとも一面は非球面であることを特徴とする請求項１記載の三枚のレンズから構成される撮像レンズである。
【００１０】
請求項５の考案は、撮像レンズには前置絞りが設けられ、その開口絞りが第１のレンズの物体側凸面上または前に設置されることを特徴とする請求項１記載の三枚のレンズから構成される撮像レンズである。
【００１１】
請求項６の考案は、撮像レンズには中間絞りが設けられ、その開口絞りが第１のレンズの像側面上、第２のレンズの物体側面上または第１のレンズの像側面と第２のレンズの物体側面との間に設置されることを特徴とする請求項１記載の三枚のレンズから構成される撮像レンズである。
【００１２】
請求項７の考案は、第１のレンズ、第２のレンズおよび第３のレンズはそれぞれプラスチック材料から製造され、前記赤外線フィルタはガラス材料から製造されることを特徴とする請求項１記載の三枚のレンズから構成される撮像レンズである。
【００１３】
請求項８の考案は、第１のレンズはモールドガラスから製造され、第２のレンズおよび第３のレンズはプラスチック材料から製造され、赤外線フィルタはガラス材料から製造されることを特徴とする請求項１記載の三枚のレンズから構成される撮像レンズである。
【考案の効果】
【００１４】
本考案の三枚のレンズから構成される撮像レンズは、同一の光軸に沿って物体側から順に、メニスカス形状の非球面レンズであり、その凸面が物体側にある正の屈折力の第１のレンズと、メニスカス形状の非球面レンズであり、その凸面が像側にある負の屈折力の第２のレンズと、Ｍ字形状の非球面レンズで、その物体側面および像側面がいずれもＭ字形状であり、光軸上の中央面が凸面または凹面である負の屈折力の第３のレンズと、赤外線フィルタと、イメージセンサとを備え、下記の条件式（１）から（６）を満足し、
０．４≦ｄ＜０．９ｆ・・・（１）
０．３＜｜Ｒ１／Ｒ２｜＜０．６・・・（２）
２．８≦Ｆｎｏ＜３．６・・・（３）
０．２＜ｂｒ／ｆ＜０．４・・・（４）
０．５＜ｆ１／ｆ＜１・・・（５）
−６．０＜ｆ３／ｆ＜−２．０・・・（６）
但し、ｆ：撮像レンズシステムの有効焦点距離
ｄ：第１のレンズの物体側面から第３のレンズの像側面までの距離
Ｒ１：第１のレンズの物体側面の曲率半径
Ｒ２：第１のレンズの像側面の曲率半径
Ｆｎｏ：撮像レンズシステムのＦナンバー
ｂｒ：撮像レンズシステムの後側焦点距離
ｆ１：第１のレンズの有効焦点距離
ｆ３：第３のレンズの有効焦点距離
上述の構成により効果的に収差を補正でき、主光線の角度を小さくでき、高解析度を達成し、撮像レンズの長さを効果的に縮小して応用性を高めることができる。
【考案を実施するための最良の形態】
【００１５】
本考案の目的、特徴および効果を示す実施例を図に沿って詳細に説明する。
【００１６】
図１、２に示すように、本考案による三枚のレンズから構成される撮像レンズは、同一の光軸Ｘに沿って物体側から順に、メニスカス形状の非球面レンズであり、その凸面１１が物体側にあり、その凹面１２が像側にあり、凸面１１および凹面１２の少なくとも一面が非球面であり、物体側に設けられる正の屈折力の第１のレンズＬ１と、メニスカス形状の非球面レンズであり、その凸面２１が像側であり、凸面２１および凹面２２の少なくとも一面は非球面であり、第１のレンズＬ１と第３のレンズＬ３との間に設けられる負の屈折力の第２のレンズＬ２と、Ｍ字形状の非球面レンズであり、その物体側面および像側面のいずれもＭ字形状であり、光軸上の中央面が凸面または凹面である負の屈折力の第３のレンズＬ３と、赤外線フィルタ４と、イメージセンサ５とを備える。図２に示すように、撮像時、光線は先ず第１のレンズＬ１、第２のレンズＬ２および第３のレンズＬ３を通過した後、赤外線フィルタ４を通過してイメージセンサ５のセンサ面５１上に結像される。
【００１７】
図１、２に示すように、撮像レンズに前置絞りを設置することができ、その開口絞り１３を第１のレンズＬ１の物体側凸面１１上または第１のレンズＬ１の物体側凸面１１の前に設置（図示せず）することができる。また、中間絞りを設け、その開口絞りを第１のレンズの像側面上、第２のレンズの物体側面上または第１のレンズの像側面と第２のレンズの物体側面との間に設置することができる（図示せず）。
【００１８】
本考案による撮像レンズは以下の条件式（１）から（６）を満足する。
０．４≦ｄ＜０．９ｆ・・・（１）
０．３＜｜Ｒ１／Ｒ２｜＜０．６・・・（２）
２．８≦Ｆｎｏ＜３．６・・・（３）
０．２＜ｂｒ／ｆ＜０．４・・・（４）
０．５＜ｆ１／ｆ＜１・・・（５）
−６．０＜ｆ３／ｆ＜−２．０・・・（６）
但し、ｆ：撮像レンズの有効焦点距離
ｄ：第１のレンズの物体側面から第３のレンズの像側面までの距離
Ｒ１：第１のレンズの物体側面の曲率半径
Ｒ２：第１のレンズの像側面の曲率半径
Ｆｎｏ：撮像レンズのＦナンバー
ｂｒ：撮像レンズの後側焦点距離
ｆ１：第１のレンズの有効焦点距離
ｆ３：第３のレンズの有効焦点距離
上述の構成により効果的に収差を補正でき、主光線の角度を小さくでき、高解析度を達成し、撮像レンズの長さを効果的に縮小して応用性を高めることができる。
【００１９】
以下に四つの好適な実施例を挙げて説明を行う。各表奇数番号の１、３、５、７には、各実施例の物体側から順に番号を記した光学面番号♯、各光学面形態（Ｔｙｐｅ）、光軸上の各光学面の曲率半径Ｒ（単位：ｍｍ）、光軸上の各光学面の間隔Ｄ（単位：ｍｍ）および材質説明を記す。各表偶数番号の２，４，６，８には各実施例の各光学面の各係数を記す。
【００２０】
Ｚ＝ｃｈ2／[１＋［１−（１＋Ｋ）ｃ2ｈ2］1/2]  ＋Ａｈ4＋Ｂｈ6＋Ｃｈ8＋Ｄｈ10+Ｅｈ12＋Ｆｈ14・・・（７）
数式（７）は各実施例の非球面方程式である。
但し、ｃ：曲率
ｈ：レンズの高さ
Ｋ：円錐定数
Ａ、Ｂ、Ｃ、Ｄ、Ｅ、Ｆ：順に４、６、８、１０、１２、１４階数の非球面係数
【００２１】
第１の実施例
【表１】
0003137570.tif 000003
【００２２】
【表２】
0003137570.tif 000004
【００２３】
本実施例の第１のレンズＬ１、第２のレンズＬ２および第３のレンズＬ３はそれぞれ型番ＡＰＬ５０１４ＤＰ、ＰＣ‐ＡＤ５５０３およびＡＰＬ５０１４ＤＰのプラスチック材料から製造される。赤外線フィルタ４は型番ＢＫ７のガラス材料から製造でき、その厚さは０．３ｍｍである。本レンズシステムの有効焦点距離ｆは３．５６８ｍｍである。距離ｄは２．６０３ｍｍである。｜Ｒ１／Ｒ２｜は０．３６６である。Ｆｎｏは２．８８である。ｂｒ／ｆは０．３６である。ｆ１／ｆは０．７５６である。ｆ３／ｆは−３．９２９である。上述の数式１から６を満足することができる。本実施例のレンズの全長は３．８９２９２ｍｍである。
【００２４】
第２の実施例
【表３】
0003137570.tif 000005
【００２５】
【表４】
0003137570.tif 000006
【００２６】
本実施例の第１のレンズＬ１、第２のレンズＬ２および第３のレンズＬ３はそれぞれ型番ＡＰＬ５０１４ＤＰ、ＯＫＰ４およびＡＰＬ５０１４ＤＰのプラスチック材料から製造される。赤外線フィルタ４は型番ＢＫ７のガラス材料から製造でき、その厚さは０．１４５ｍｍである。本レンズシステムの有効焦点距離ｆは４．４５４０８ｍｍである。距離ｄは２．９３ｍｍである。｜Ｒ１／Ｒ２｜は０．５１である。Ｆｎｏは３．５である。ｂｒ／ｆは０．２９５である。ｆ１／ｆは０．６３４である。ｆ３／ｆは−２．８８８である。上述の数式１から６を満足することができる。本実施例のレンズの全長は４．２３０２６ｍｍである。
【００２７】
第３の実施例
【表５】
0003137570.tif 000007
【００２８】
【表６】
0003137570.tif 000008
【００２９】
本実施例の第１のレンズＬ１は型番Ｌ‐ＢＡＬ４２のモールドガラスから製造することができ、第２のレンズＬ２および第３のレンズＬ３はそれぞれ型番ＰＣ‐ＡＤ５５０３およびＡＰＬ５０１４ＤＰのプラスチック材料から製造される。赤外線フィルタ４は型番ＢＫ７のガラス材料から製造でき、その厚さは０．３ｍｍである。本レンズシステムの有効焦点距離ｆは３．６０５６２ｍｍである。距離ｄは２．６３８ｍｍである。｜Ｒ１／Ｒ２｜は０．３８である。Ｆｎｏは２．８８である。ｂｒ／ｆは０．３４９である。ｆ１／ｆは０．７５５であり、０．５＜ｆ１／ｆ＜１である。ｆ３／ｆは−３．８７２である。上述の数式１から６を満足することができる。本実施例のレンズの全長は３．９０１ｍｍである。
【００３０】
第４の実施例
【表７】
0003137570.tif 000009
【００３１】
【表８】
0003137570.tif 000010
【００３２】
本実施例の第１のレンズＬ１は型番Ｌ‐ＢＡＬ４２のモールドガラスから製造することができ、第２のレンズＬ２および第３のレンズＬ３はそれぞれ型番ＰＣ‐ＡＤ５５０３およびＥ４８Ｒのプラスチック材料から製造される。赤外線フィルタ４は型番ＢＫ７のガラス材料から製造でき、その厚さは０．３ｍｍである。本レンズシステムの有効焦点距離ｆは３．５６３９２ｍｍである。距離ｄは２．７８５８３ｍｍである。｜Ｒ１／Ｒ２｜は０．３７９６７９である。Ｆｎｏは２．８である。ｂｒは１．０８７４２５ｍｍである。ｂｒ／ｆは０．３０５１２０である。ｆ１は２．７４５６６７ｍｍである。ｆ１／ｆは０．７７０４０５である。ｆ３は−９．７３９３７０ｍｍである。ｆ３／ｆは−２．７３２７６９である。上述の数式１から６を満足することができる。本実施例のレンズの全長は３．８７３ｍｍである。
【図面の簡単な説明】
【００３３】
【図１】本考案の第１の実施例を示す断面図である。
【図２】図１の光路を示す断面図である。
【図３】第１の実施例の五つの異なる視野（像高は０、０．５７５、１．１５、１．７２５、２．３ｍｍ）の横収差図（ｔｒａｎｓｖｅｒｓｅ  ｒａｙ  ｆａｎ  ｐｌｏｔ）である。
【図４】第１の実施例の像面湾曲（ｆｉｅｌｄ  ｃｕｒｖａｔｕｒｅ）を示す図である。
【図５】第１の実施例の歪曲を示す図である。
【図６】第１の実施例の五つの異なる視野（像高は０、０．５７５、１．１５、１．７２５、２．３ｍｍ）の０から１６０ＬＰ／ｍｍの空間周波数に対応するとき生成される変調伝達関数を示す図である。
【図７】第１の実施例の全視野が視野零に対応して生成される相対照度を示す図である。
【図８】本考案の第２の実施例を示す断面図である。
【図９】図８の光路を示す断面図である。
【図１０】第２の実施例の五つの異なる視野（像高は０、０．６７５、１．３５、２．０２５、２．７ｍｍ）の横収差図である。
【図１１】第２の実施例の像面湾曲を示す図である。
【図１２】第２の実施例の歪曲を示す図である。
【図１３】第２の実施例の五つの異なる視野（像高は０、０．６７５、１．３５、２．０２５、２．７ｍｍ）の０から１６０ＬＰ／ｍｍの空間周波数に対応するとき生成される変調伝達関数を示す図である。
【図１４】第２の実施例の全視野が視野零に対応して生成される相対照度を示す図である。
【図１５】本考案の第３の実施例を示す断面図である。
【図１６】図１５の光路を示す断面図である。
【図１７】第３の実施例の五つの異なる視野（像高は０、０．５７５、１．１５、１．７２５、２．３ｍｍ）の横収差図である。
【図１８】第３の実施例の像面湾曲を示す図である。
【図１９】第３の実施例の歪曲を示す図である。
【図２０】第３の実施例の五つの異なる視野（像高は０、０．５７５、１．１５、１．７２５、２．３ｍｍ）の０から２００ＬＰ／ｍｍの空間周波数に対応するとき生成される変調伝達関数を示す図である。
【図２１】第３の実施例の全視野が視野零に対応して生成される相対照度を示す図である。
【図２２】本考案の第４の実施例を示す断面図である。
【図２３】図２２の光路を示す断面図である。
【図２４】第４の実施例の五つの異なる視野（像高は０、０．５７５、１．１５、１．７２５、２．３ｍｍ）の横収差図である。
【図２５】第４の実施例の像面湾曲を示す図である。
【図２６】第４の実施例の歪曲を示す図である。
【図２７】第４の実施例の五つの異なる視野（像高は０、０．５７５、１．１５、１．７２５、２．３ｍｍ）の０から２００ＬＰ／ｍｍの空間周波数に対応するとき生成される変調伝達関数を示す図である。
【図２８】第４の実施例の全視野が視野零に対応して生成される相対照度を示す図である。
【符号の説明】
【００３４】
Ｌ１  第１のレンズ
１１  物体側面（凸面）
１２  像側面（凹面）
１３  開口絞り
Ｌ２  第２のレンズ
２１  像側面（凸面）
２２  物体側面（凹面）
Ｌ３  第３のレンズ
４    赤外線フィルタ
５    イメージセンサ
５１  センサ面
【図１】
0003137570.tif 000011
【図２】
0003137570.tif 000012
【図３】
0003137570.tif 000013
【図４】
0003137570.tif 000014
【図５】
0003137570.tif 000015
【図６】
0003137570.tif 000016
【図７】
0003137570.tif 000017
【図８】
0003137570.tif 000018
【図９】
0003137570.tif 000019
【図１０】
0003137570.tif 000020
【図１１】
0003137570.tif 000021
【図１２】
0003137570.tif 000022
【図１３】
0003137570.tif 000023
【図１４】
0003137570.tif 000024
【図１５】
0003137570.tif 000025
【図１６】
0003137570.tif 000026
【図１７】
0003137570.tif 000027
【図１８】
0003137570.tif 000028
【図１９】
0003137570.tif 000029
【図２０】
0003137570.tif 000030
【図２１】
0003137570.tif 000031
【図２２】
0003137570.tif 000032
【図２３】
0003137570.tif 000033
【図２４】
0003137570.tif 000034
【図２５】
0003137570.tif 000035
【図２６】
0003137570.tif 000036
【図２７】
0003137570.tif 000037
【図２８】
0003137570.tif 000038